【手続補正書】
【提出日】平成15年11月18日(2003.11.18)
【手続補正１】
【補正対象書類名】特許請求の範囲
【補正対象項目名】全文
【補正方法】変更
【補正の内容】
【特許請求の範囲】
【請求項１】
ネットワークデバイス上に所定の態様でドキュメント内に含まれた情報を提示するためにコード内に情報コンテンツを含むオーサーによって作成されたドキュメントに関連する情報を収集するステップであって、該コードは、コンピュータネットワークを介して該ドキュメントを通信するためのコード、誰が該情報コンテンツを作成および／または変更し得るかを制御するためのコード、誰が該情報コンテンツを見得るかを制御するためのコード、およびどのようにして該ドキュメントがネットワークデバイス上に提示されるかについてのコードを含む、ステップと、
該ドキュメントをサーバにアップロードすることによって、またはピアツーピアネットワークを介して利用可能なファイルを作ることのいずれかによって、該ドキュメントをコンピュータネットワークを介して普及するステップと、
該ネットワークデバイス上で該ドキュメントを提示するために配信チャンネルに該ドキュメントを転送するステップであって、該ドキュメントが該配信チャンネルに到達すると、該コードは、該ドキュメントを所定の態様で提示するための第１のアプリケーションを作成するかまたは呼び出す、ステップと
を包含する、情報を通信するための方法。
【請求項２】
前記コードはまた、前記ドキュメントに提示される第２のアプリケーションを作成するかまたは呼び出す、請求項１に記載の方法。
【請求項３】
ネットワークデバイス上に所定の態様でドキュメント内に含まれた情報を提示するためにコード内の該ドキュメントをフォーマットするステップと、
該ドキュメントを提示するための第１のアプリケーションを作成するかまたは呼び出すために、および／または該ドキュメントを提示する第２のアプリケーションを作成するかまたは呼び出すために必要なエレメントがコンパイルされたコードに含まれるようにコンパイルされたコードのファイルに該コードをコンパイルするステップと、
該ファイルをサーバにアップロードすることによって、またはピアツーピアネットワークを介して利用可能な該ファイルを作成することのいずれかによって、該ファイルをコンピュータネットワークを介して普及するステップと、
該ネットワークデバイス上で該ドキュメントを提示するために配信チャンネルに該ファイルのコンパイルされたコードを転送するステップであって、該コンパイルされたコードが該配信チャンネルに到達すると、該必要なエレメントは、該ドキュメントを所定の態様で提示するための該第１のアプリケーションを作成するかまたは呼び出すか、ならびに／あるいは該ドキュメントに提示される該第２のアプリケーションを作成するかまたは呼び出す、ステップと
を包含する、情報を通信するための方法。
【請求項４】
前記配信チャンネルは、電子メール、公開されたウェブページ、無線デバイス、バナー広告、およびインスタントメッセージアプリケーションの内の任意の１つ以上を含む、請求項３に記載の方法。
【請求項５】
前記第２のアプリケーションは、ユーザが前記クライアントに該提示に注釈を付けることを可能にするためのオーサリングツールを含む、請求項３に記載の方法。
【請求項６】
前記第２のアプリケーションは、インターネット検索エンジンを含む、請求項３に記載の方法。
【請求項７】
前記第２のアプリケーションは、インスタントメッセージアプリケーションを含む、請求項３に記載の方法。
【請求項８】
前記情報は、サーバ上に格納され、前記提示をフォーマットするステップは、該情報への外部リファレンスを用いるステップを含む、請求項３に記載の方法。
【請求項９】
前記コンパイルされたコードが転送された後、前記情報になされる変更は、前記提示が該変化の後に提示されると、自動的に反映される、請求項４に記載の方法。
【請求項１０】
前記情報は、前記ネットワークデバイスにリアルタイムで提供される、請求項３に記載の方法。
【請求項１１】
前記情報は画像情報であり、前記第１のアプリケーションは画像ビューアである、請求項３に記載の方法。
【請求項１２】
前記情報は、ビデオ情報であり、前記第１のアプリケーションは、ビデオビューアである、請求項３に記載の方法。
【請求項１３】
前記コンパイルの間に、前記情報はサーバにアップロードされ、前記コンパイルされたコードは、前記ネットワークデバイス上に該情報を提示するための外部基準を含む、請求項３に記載の方法。
【請求項１４】
前記配信チャンネルは電子メールであり、前記第２のアプリケーションは、修正された電子メールメッセージを作成することによって該電子メールを修正するためのオーサリングアプリケーションであり、該修正された電子メールメッセージは、該電子メールメッセージの発信側および／またはサードパーティに転送される、請求項４に記載の方法。
【請求項１５】
情報コンテンツおよびコンピュータ読み出し可能コードを有するコンピュータネットワークを介して普及するためのドキュメントであって、該コンピュータ読み出し可能コードは、該コンピュータネットワークを介して該ドキュメントを通信するためのコード、誰が該情報コンテンツを作成および／または変更し得るかを制御するためのコード、誰が該情報コンテンツを見得るかを制御するためのコード、およびどのようにして該ドキュメントがネットワークデバイス上に提示されるかについてのコードを含む、ドキュメント。
【請求項１６】
前記コードは、
前記ドキュメントと通信するための構文と、
誰が前記情報コンテンツを作成および／または変更し得るかを特定するための構文と、
どのようにして該ドキュメントが普及され得るかを特定するための構文と、
該ドキュメントの提示を特定するための構文と
を含む、請求項１５に記載のドキュメント。
【請求項１７】
前記コードは、
前記ドキュメントと通信するための語彙と、
誰が前記情報コンテンツを作成および／または変更するかを特定するための語彙と、
どのようにして該ドキュメントが普及され得るかを特定するための語彙と、
該ドキュメントの提示を特定するための語彙と
を含む、請求項１５に記載のドキュメント。
【請求項１８】
ネットワークデバイス上に所定の態様でドキュメント内に含まれた情報を提示するためにコード内の該ドキュメントをフォーマットするためのフォーマット手段と、
該ドキュメントを提示するための第１のアプリケーションを作成するかまたは呼び出すためにおよび／または該ドキュメントを提示する第２のアプリケーションを作成するかまたは呼び出すために必要なエレメントがコンパイルされたコードに含まれるようにコンパイルされたコードのファイルに該コードをコンパイルするためのコンパイル手段と、
該ファイルをサーバにアップロードすることによって、またはピアツーピアネットワークを介して利用可能な該ファイルを作成することのいずれかによって、該ファイルをコンピュータネットワークを介して普及するための普及手段と、
該ネットワークデバイス上で該ドキュメントを提示するために配信チャンネルに該ファイルのコンパイルされたコードを転送手段であって、該コンパイルされたコードが該配信チャンネルに到達すると、必要なエレメントは、該ドキュメントを所定の態様で提示するための第１のアプリケーションを作成するかまたは呼び出すか、ならびに／あるいは該ドキュメントに提示される該第２のアプリケーションを作成するかまたは呼び出す、転送手段と、
を含む、情報を通信するための装置。
【請求項１９】
電子メールメッセージを開くと該電子メッセージにおけるドキュメント内に所定の態様で含まれた情報を提示するためのコードで該ドキュメントをフォーマットするステップであって、該情報がサーバ上に格納され、該提示をフォーマットするステップは、該情報への外部リファレンスを用いるステップを包含する、ステップと、
該提示を提示するための第１のアプリケーションを作成するかまたは呼び出すためにおよび／または該提示を提示する第２のアプリケーションを作成するかまたは呼び出すために必要なエレメントが該コンパイルされたコードに含まれるようにコンパイルされたコードのファイルに該コードをコンパイルするステップと、
該ファイルをサーバにアップロードすることによって、またはピアツーピアネットワークを介して利用可能な該ファイルを作成することのいずれかによって、該ファイルをコンピュータネットワークを介して普及するステップと、
ネットワークデバイス上で見るために配信チャンネルに該コンパイルされたコードを転送するステップであって、
該ファイルにアクセスするための規則は、該提示のオーサーによって特定され、
該コンパイルされたコードが該配信チャンネルに到達すると、該必要なエレメントは、該提示を所定の態様で提示するための第１のアプリケーションを作成するかまたは呼び出すか、ならびに／あるいは該ドキュメントに提示されるための該第２のアプリケーションを作成するかまたは呼び出す、ステップと
を包含する、情報と通信し、かつ情報を制御するための方法。
【請求項２０】
前記規則は、該情報がアクセスされる回数、該情報がアクセスされ得る時間の量、該情報にアクセスし得る電子メールアドレスの数、および該情報にアクセスしてもしなくてもよい任意の特定の電子メールアドレスの内の少なくとも１つを含む、請求項１９に記載の方法。
【請求項２１】
前記規則は、公開された作業を作成することによって該ファイルへの完全なアクセスを全ての該規則に与えることを含む、請求項１９に記載の方法。
【請求項２２】
前記コンパイルされたコードが前記配信チャンネルにおいて見られると、応答が前記ドキュメントが見られたことを示す前記オーサーに自動的に送信される、請求項２１に記載の方法。  
【請求項２３】
公開すると、前記ファイルがｗｏｒｌｄ−ｗｉｄｅ−ｗｅｂを介して見るために利用可能なウェブページとなる、請求項２１に記載の方法。
【請求項２４】
フォーマットされた提示のコンパイルされたコードを含み、該コンパイルされたコードは、前記電子メールメッセージを開く間に、該提示を提示するための第１のアプリケーションを作成するかまたは呼び出すために、および／または該提示を提示するための第２のアプリケーションを作成するかまたは呼び出すために必要なエレメントを含む、電子メールメッセージ。
【請求項２５】
フォーマットされた提示のコンパイルされたコードを含み、該コンパイルされたコードは、該提示を提示するための第１のアプリケーションを作成するかまたは呼び出すために、および／または該提示を提示するための第２のアプリケーションを作成するかまたは呼び出すために必要なエレメントを含む、ネットワークデバイス上で表示されたバナー広告。
【請求項２６】
フォーマットされた提示のコンパイルされたコードを含み、該コンパイルされたコードは、該提示を提示するための第１のアプリケーションを作成するかまたは呼び出すために、および／または該提示を提示するための第２のアプリケーションを作成するかまたは呼び出すために必要なエレメントを含む、ネットワークデバイス上で表示されたインスタントメッセージアプリケーション。
【請求項２７】
フォーマットされた提示のコンパイルされたコードを含み、該コンパイルされたコードは、該提示を提示するための第１のアプリケーションを作成するかまたは呼び出すために、および／または該提示を提示するための第２のアプリケーションを作成するかまたは呼び出すために必要なエレメントを含む、ネットワークデバイス上で表示されたウェブページ。
【請求項２８】
ネットワークデバイス上に所定の態様でドキュメント内に含まれた情報を提示するためのコードで該ドキュメントをフォーマットするステップと、
該ドキュメントを提示するための第１のアプリケーションを作成するかまたは呼び出すためにおよび／または該ドキュメントを提示する第２のアプリケーションを作成するかまたは呼び出すために必要なエレメントがコンパイルされたコードに含まれるようにコンパイルされたコードのファイルに該コードをコンパイルするステップと、
該ファイルをサーバにアップロードすることによって、またはピアツーピアネットワークを介して利用可能なファイルを作成することのいずれかによって、該ファイルをコンピュータネットワークを介して普及するステップと、
該ネットワークデバイス上で該ドキュメントを提示するために配信チャンネルに該ファイルのコンパイルされたコードを転送するステップであって、該コンパイルされたコードが該配信チャンネルに到達すると、該必要なエレメントは、該ドキュメントを所定の態様で提示するための第１のアプリケーションを作成するかまたは呼び出すか、ならびに／あるいは該ドキュメントに提示される該第２のアプリケーションを作成するかまたは呼び出す、ステップと
を包含する、情報を通信するための方法を実行するためのコンピュータ実行可能命令を有するコンピュータ読み出し可能媒体。
【請求項２９】
コンピュータネットワークを介して普及するための、該オーサーによって作成されたドキュメントと、
該ドキュメントのための該オーサーのポイントオブビューおよび該ドキュメントの関係点の視覚および／またはオーディオ提示を提示するための第１の利己的なネットワークモニタと、
該ドキュメントのための該受信者のポイントオブビューおよび該ドキュメントの関係点の視覚および／またはオーディオ提示を提示するための第２の利己的なネットワークモニタと、
該ドキュメントの関係点と、
を含む、利己的なネットワーク。
【請求項３０】
前記ドキュメントは、ポイントオブビュー定義を含むメタ情報を含む、請求項２９に記載の利己的なネットワーク。
【請求項３１】
前記ドキュメントを普及するステップは、該ドキュメントのオーサーのポイントオブビューを作成する、請求項２９に記載の利己的なネットワーク。
【請求項３２】
前記オーサーのポイントオブビューおよび前記受信者のポイントオブビューは、前記受信者、前記ドキュメント、または前記コンピュータネットワークにおける他のリソースからなる群の内の１つによって１つ以上のインスタンスとの相互作用を反映する、請求項２９に記載の利己的なネットワーク。
【請求項３３】
前記ドキュメントの前記オーサーのポイントオブビューおよび前記受信者のポイントオブビューの共通点は、該ドキュメントに関する前記関係の点を作成する、請求項２９に記載の利己的なネットワーク。
【請求項３４】
前記関係の点は、前記受信者と前記ドキュメントとの間の相互作用のインスタンスを含む、請求項２９に記載の利己的なネットワーク。
【請求項３５】
前記関係の点は、前記オーサーと前記ドキュメントとの間または前記受信者と該ドキュメントとの間の各相互作用に対して更新される、請求項３４に記載の利己的なネットワーク。